(57)【要約】【課題】フレキシブル基板に無理な力を与えることなく、電子機器の小型化を図る。【解決手段】フレキシブル基板４０は、取付部１０を通りケース本体１０２とパネル部材２０とにわたって設けられている。フレキシブル基板４０は、取付部１０において、第２の仮想軸Ｙの回りに長円状に巻回されかつ第１の仮想軸Ｘに沿って扁平に延在して配置されている。フレキシブル基板４０が巻回されている長円の中心を通り長円と交差する想像線のうち最も寸法の大きい想像線を長径ａとし、最も寸法の小さい想像線を短径ｂとすると、フレキシブル基板４０は取付部ケース１２内において長円の短径ｂを取付部ケース１２の厚さ方向に沿わせかつ長円の長径ａを取付部ケース１２の長さ方向に沿わせて配置されている。【選択図】図５
2006186503.tif 000002
【特許請求の範囲】
【請求項１】
外装を構成するケース本体と、
前記ケース本体とは別体のパネル部材と、
前記パネル部材を前記ケース本体に対して第１の方向に延在する第１の仮想軸の回りに揺動可能でかつ前記第１の仮想軸と直交する第２の仮想軸の回りに揺動可能に支持する取付部と、
前記パネル部材に組み込まれたディスプレイ装置と、
前記取付部の内部を通り前記ケース本体と前記パネル部材とにわたって設けられ電気信号を前記ケース本体と前記ディスプレイ装置との間で伝達するフレキシブル基板とを備えた電子機器であって、
前記フレキシブル基板は、前記取付部において、前記第２の仮想軸の回りに長円状に巻回されかつ前記第１の仮想軸に沿って扁平に延在して配置されている、
ことを特徴とする電子機器。
【請求項２】
前記長円状に巻回された前記フレキシブル基板のうち外側の端部に位置する前記フレキシブル基板部分が前記ケース本体側に引き出され、前記長円状に巻回された前記フレキシブル基板のうち内側の端部に位置する前記フレキシブル基板部分が前記パネル部材側に引き出されていることを特徴とする請求項１記載の電子機器。
【請求項３】
前記長円状に巻回された前記フレキシブル基板のうち外側の端部に位置する前記フレキシブル基板部分が前記ケース本体側に引き出され、前記長円状に巻回された前記フレキシブル基板のうち内側の端部に位置する前記フレキシブル基板部分が前記第２の仮想軸に沿って前記パネル部材側に引き出されていることを特徴とする請求項１記載の電子機器。
【請求項４】
前記取付部は前記第１の仮想軸に沿った長さと、前記長さよりも小さい寸法で前記第２の仮想軸に沿った幅と、前記長さおよび幅と直交する方向で前記幅よりも小さい寸法の厚さとを有する断面が中空の扁平形状を呈する取付部ケースを有し、前記取付部において前記フレキシブル基板は前記取付部ケースの内部に収容されていることを特徴とする請求項１記載の電子機器。
【請求項５】
前記取付部は前記第１の仮想軸に沿った長さと、前記長さよりも小さい寸法で前記第２の仮想軸に沿った幅と、前記長さおよび幅と直交する方向で前記幅よりも小さい寸法の厚さとを有する断面が中空の扁平形状を呈する取付部ケースを有し、前記フレキシブル基板は前記取付部ケース内において長円の短径を前記取付部ケースの厚さ方向に沿わせかつ長円の長径を前記取付部ケースの長さ方向に沿わせて配置されていることを特徴とする請求項１記載の電子機器。
【請求項６】
前記取付部は、前記フレキシブル基板が長円状に巻回され扁平に延在して収容される取り付け部ケースを有し、前記ケース本体に対して前記取り付け部ケースは、第１の仮想軸に沿って延在する第１の支軸によりこの第１の支軸の回りに揺動可能に支持され、前記取付部ケースに対して前記パネル部材は、前記第２の仮想軸に沿って延在する第２の支軸によりこの第２の支軸の回りに揺動可能に結合されていることを特徴とする請求項１記載の電子機器。
【請求項７】
前記取付部は、前記フレキシブル基板が長円状に巻回され扁平に延在して収容される取り付け部ケースを有し、前記取り付け部ケースは前記ケース本体に対して、第１の仮想軸に沿って延在する第１の支軸によりこの第１の支軸の回りに揺動可能に支持され、前記取付部ケースに対して前記パネル部材は、前記第２の仮想軸に沿って延在する第２の支軸によりこの第２の支軸の回りに揺動可能に結合され、前記取付部ケースは前記第１の仮想軸に沿った長さと、前記長さよりも小さい寸法で前記第２の仮想軸に沿った幅と、前記長さおよび幅と直交する方向で前記幅よりも小さい寸法の厚さとを有し、前記パネル部材は、厚さと、前記厚さよりも大きな寸法の幅と、前記幅よりも大きな寸法で前記第２の仮想軸に沿った長さを有する扁平な板状に形成され、前記パネル部材は、その長さ方向の端部を前記取り付け部ケースの幅方向の端部に臨ませて配置され、前記取付部ケースの厚さと前記パネル部材の厚さは同じ寸法で形成されていることを特徴とする請求項１記載の電子機器。
【請求項８】
前記フレキシブル基板は幅と長さを有し、前記ケース本体と前記取付部との境の箇所において、前記フレキシブル基板は、前記第１の仮想軸の延在方向と平行する方向に前記フレキシブル基板の幅方向を向けるとともに前記第１の仮想軸の延在方向と直交する方向に長さ方向を向けて配置されていることを特徴とする請求項１記載の電子機器。
【請求項９】
前記取付部は、前記フレキシブル基板が長円状に巻回され扁平に延在して収容される取り付け部ケースを有し、前記ケース本体に対して前記取り付け部ケースは、第１の仮想軸に沿って延在する第１の支軸によりこの第１の支軸の回りに揺動可能に支持され、前記取付部ケースに対して前記パネル部材は、前記第２の仮想軸に沿って延在する第２の支軸によりこの第２の支軸の回りに揺動可能に結合され、前記取付部ケースとパネル部材との境の箇所において、前記フレキシブル基板は前記第２の仮想軸上で該第２の仮想軸に沿って延在していることを特徴とする請求項１記載の電子機器。
【請求項１０】
前記パネル部材は厚さと、前記厚さよりも大きな寸法の幅と、前記幅よりも大きな寸法で前記第２の仮想軸に沿った長さを有する扁平な板状に形成され、前記取付部は、前記フレキシブル基板が長円状に巻回され扁平に延在して収容される取り付け部ケースを有し、前記ケース本体に対して前記取り付け部ケースは、第１の仮想軸に沿って延在する第１の支軸によりこの第１の支軸の回りに揺動可能に支持され、前記取付部ケースに対して前記パネル部材は、前記第２の仮想軸に沿って延在する第２の支軸によりこの第２の支軸の回りに揺動可能に結合され、前記フレキシブル基板は厚さを有し、前記取付部ケースとパネル部材との境の箇所において、前記フレキシブル基板はその厚さ方向が前記パネル部材の厚さ方向に合わされ前記第２の仮想軸上で該第２の仮想軸に沿って延在していることを特徴とする請求項１記載の電子機器。
【発明の詳細な説明】
【技術分野】
【０００１】
本発明はディスプレイ装置が回転可能に取着された電子機器に関する。
【背景技術】
【０００２】
例えば、撮像装置であるビデオカメラなどの電子機器では、撮像された画像などを表示するディスクプレイ装置が、電子機器の外装を構成するケース本体に対して揺動可能に取着されたものがある。
このような構成を有する電子機器として、ケース本体に取付部を介して設けられたパネル部材と、パネル部材に組み込まれたディスプレイ装置とを備え、取付部を介しパネル部材がケース本体に対して、第１の方向に延在する第１の仮想軸の回りに揺動可能で、かつ、第１の仮想軸と直交する第２の仮想軸の回りに揺動可能に支持されたものが提案されている（特許文献１）。
【特許文献１】特開平８−１２５８９０号公報
【発明の開示】
【発明が解決しようとする課題】
【０００３】
このような電子機器においては、映像信号や電源などを含む電気信号をケース本体とディスプレイ装置との間で伝達するために、ケース本体とパネル部材とにわたってフレキシブル基板が設けられている。
この場合、ディスプレイ装置がケース本体に対して第２の仮想軸の回りに揺動される際に、取付部においてフレキシブル基板がねじられたり引っ張られたりするような力を受けないようにする必要がある。
したがって、フレキシブル基板を、取付部において第２の仮想軸の回りに第２の仮想軸方向から見て正円状に巻回して配置し、巻回された外側の端部のフレキシブル基板部分をケース本体側に取り回し、巻回された内側の端部のフレキシブル基板部分をパネル部材側に取り回し、ディスプレイ装置が第２の仮想軸の回りに揺動した際に、フレキシブル基板が前記巻回部分の余裕によって無理な力を受けないようにすることが考えられる。
この場合、フレキシブル基板が巻回される円の径を小さくしていくと、巻回部分の余裕量も小さくなっていき、フレキシブル基板にねじれ力や引っ張り力が作用するため、フレキシブル基板が巻回される円の径を小さくするにも限界がある。
そのため、取付部においてフレキシブル基板が巻回される円の径を確保する必要があり、取付部が大型化し電子機器の小型化を図る上で不利がある。
本発明はこのような事情に鑑みなされたものであり、その目的は、ケース本体とパネル部材との間にわたって設けられるフレキシブル基板に無理な力を与えることなく、電子機器の小型化を図る上で有利な電子機器を提供することにある。
【課題を解決するための手段】
【０００４】
上述の目的を達成するため、本発明は、外装を構成するケース本体と、前記ケース本体とは別体のパネル部材と、前記パネル部材を前記ケース本体に対して第１の方向に延在する第１の仮想軸の回りに揺動可能でかつ前記第１の仮想軸と直交する第２の仮想軸の回りに揺動可能に支持する取付部と、前記パネル部材に組み込まれたディスプレイ装置と、前記取付部の内部を通り前記ケース本体と前記パネル部材とにわたって設けられ電気信号を前記ケース本体と前記ディスプレイ装置との間で伝達するフレキシブル基板とを備えた電子機器であって、前記フレキシブル基板は、前記取付部において、前記第２の仮想軸の回りに長円状に巻回されかつ前記第１の仮想軸に沿って扁平に延在して配置されていることを特徴とする。
【発明の効果】
【０００５】
本発明によれば、フレキシブル基板が、取付部において、第２の仮想軸の回りに長円状に巻回されかつ第１の仮想軸に沿って扁平に延在して配置されているので、パネル部材の第２の仮想軸回りの揺動に伴って、フレキシブル基板の長円状の巻回部分がその長径方向において縮むか、あるいは、広がることでフレキシブル基板に無理な力を与えることがなく、かつ、フレキシブル基板の巻回されている部分が占有するスペースを削減することにより、電子機器の小型化を図る上で有利となる。
【発明を実施するための最良の形態】
【０００６】
取付部の内部を通りケース本体とパネル部材とにわたって設けられるフレキシブル基板を、取付部において、第２の仮想軸の回りに長円状に巻回されかつ第１の仮想軸に沿って扁平に延在させることによって上記目的を実現した。
【実施例１】
【０００７】
次に本発明の実施例１について図面を参照して説明する。
本実施例では電子機器はビデオカメラ１００である。
図１は実施例１のビデオカメラ１００を前方から見た斜視図、図２はディスプレイ装置が収容位置にある状態のビデオカメラ１００を前方から見た斜視図、図３はディスプレイ装置が開放位置にある状態のビデオカメラ１００を後方から見た斜視図、図４はディスプレイ装置が開放位置で第２の仮想軸Ｙ回りに揺動された状態のビデオカメラ１００を後方から見た斜視図である。
図５は取付部の構成を示す斜視図である。
図６はフレキシブル基板の斜視図である。
図７（Ａ）は実施例１におけるフレキシブル基板の巻回状態の説明図、（Ｂ）は比較例におけるフレキシブル基板の巻回状態の説明図である。
図８は（Ａ）、（Ｂ）は実施例１におけるディスプレイ装置を開閉した場合のケース本体との関係を示す説明図である。
図９は比較例におけるディスプレイ装置を開閉した場合のケース本体との関係を示す説明図である。
図１０（Ａ）は実施例１におけるディスプレイ装置におけるバックライト用ＬＥＤの配置の説明図、（Ｂ）は比較例におけるディスプレイ装置におけるバックライト用ＬＥＤの配置の説明図である。
【０００８】
図１〜図３に示すように、本実施例において電子機器はビデオカメラ１００であり、外装を構成するケース本体１０２を有している。なお、本明細書において左右は、ビデオカメラ１００を前方から見た状態でいうものとし、また、光学系の光軸方向で被写体側を前方といい、撮像素子側を後方という。
ケース本体１０２は、左右方向の幅と、この幅よりも大きな寸法の上下方向の高さと、この高さよりも大きな寸法の前後方向の長さとを有している。
ケース本体１０２は、前方および後方に臨む前面１０２Ａおよび後面１０２Ｂと、上方および下方に臨む上面１０２Ｃおよび下面１０２Ｄと、左方および右方に臨む左側面１０２Ｅおよび右側面１０２Ｆとを有している。
ケース本体１０２の右側面１０２Ｆの前部の上下には、後述するパネル部材２０を取り付けるための２つの支持部１３が突設されている。
ケース本体１０２の前面１０２Ａ上部には、撮影光学系１０４が組み込まれた鏡筒１０６が前方に臨んで設けられている。
ケース本体１０２の内部には、撮影光学系１０４によって導かれた被写体像を撮像する撮像素子、該撮像素子で撮像された被写体像の静止画および動画のデータを記録媒体に記録再生する記録再生部などが収容されている。
ケース本体１０２の後面１０２Ｂ上部には前記撮像素子によって撮像された被写体像を視認するための電子式ファインダー１０８が設けられている。
ケース本体１０２の後面１０２Ｂ、上面１０２Ｃ、左側面１０２Ｅには、撮影スタートストップスイッチなどの操作スイッチ１０３Ａや種々の設定を行うための設定スイッチ１０３Ｂが設けられている。
【０００９】
さらに、ビデオカメラ１００には、ケース本体１０２の右側面１０２Ｆの前部に取付部１０を介して設けられたパネル部材２０と、パネル部材２０に組み込まれたディスプレイ装置３０と、ケース本体１０２とパネル部材１０とにわたって設けられ電源または映像信号などを含む電気信号をケース本体１０２とディスプレイ装置２０との間で伝達するフレキシブル基板４０（図５）とが設けられている。
ケース本体１０２の右側面１０２Ｆは、パネル部材２０の収容部を構成しており、パネル部材２０はその外形が右側面１０２Ｆに合致する外形の扁平な矩形板状を呈し、長方形状の外面２００２と、外面２００２の四辺から起立された４つの側面２００４と、４つの側面２００４の先端を接続する矩形枠状の内面２００６とを有し、内面２００６の内側に開口２００８が形成されている。
【００１０】
ディスプレイ装置３０は前記撮像素子によって撮像された被写体像などを表示するためのものである。
図１０（Ａ）に示すように、ディスプレイ装置３０は、画像を形成する液晶表示器３２と、液晶表示器３２を照明する照明装置３４を有している。
液晶表示器３２および表示面３２０２は長方形を呈し、その長辺と短辺をパネル部材２０の長辺と短辺にそれぞれ平行させた状態でパネル部材２０に組み込まれ、液晶表示器３２の表示面３２０２はパネル部材２０の内面２００６の内側の開口２００８に臨むように配置されている。
照明装置３４は、複数の（本実施例では３個の）ＬＥＤ（発光素子）３４０２からなり、パネル部材２０の内部において、液晶表示器３２の一方の短辺に臨みこの短辺と平行な直線上で短辺方向に等間隔をおいて配設されている。
したがって、照明装置３２の各ＬＥＤ３４０２が発光すると、その光が液晶表示器３２の一方の短辺側から他方の短辺側に向かって入射され、液晶表示器３２の内部で表示面３２０２と対向する面を覆うように配設された拡散板（不図示）によって液晶表示器３２の厚さ方向に沿って表示面３２０２に向けて進行し、これにより液晶表示器３２に形成された画像が表示面３２０２に表示されることになる。
なお、図１０（Ｂ）に示すように、照明装置３４を構成する複数のＬＥＤ３４０２をパネル部材２０の内部において、液晶表示器３２の一方の長辺に臨みこの長辺と平行な直線上で長辺方向に等間隔をおいて配設することもできる。
しかしながら、図１０（Ａ）に示すように、液晶表示器３２の短辺に沿って各ＬＥＤ３４０２を配置する場合は、図１０（Ｂ）に示すように、液晶表示器３２の長辺に沿って各ＬＥＤ３４０２を配置する場合に比較して、ＬＥＤ３４０２の数を削減でき、ディスプレイ装置３０の小型化および低コスト化する上で有利となる。
【００１１】
図２、図３、図５に示すように、取付部１０は、パネル部材２０をケース本体１０２に対して、第１の支軸１４Ｘを介して第１の方向（本実施例では上下方向）に延在する第１の仮想軸Ｘの回りに揺動可能で、かつ、第２の支軸１４Ｙを介して第１の仮想軸Ｘと直交する方向（本実施例では水平方向）に延在する第２の仮想軸Ｙの回りに揺動可能に支持するように構成されている。
詳細に説明すると、取付部１０は取付部ケース１２を有している。
図３、図５に示すように、取付部ケース１２は、第１の仮想軸Ｘに沿った長さと、前記長さよりも小さい寸法で第２の仮想軸Ｙに沿った幅と、前記長さおよび幅と直交する方向で前記幅よりも小さい寸法の厚さとを有する断面が中空の扁平形状を呈している。
取付部ケース１２の厚さはパネル部材２０の厚さと同じ寸法で形成され、より詳細には、取付部ケース１２の厚さは、パネル部材２０が取付部ケース１２に臨む部分の厚さと同じ寸法で形成されている。
取付部ケース１２は、長さを上下方向に向けてケース本体１０２の上下の支持部１３の間に配置され、取付部ケース１２の幅方向の端部に位置する側面とパネル部材２０の側面２００４とが合わされて配置されている。
前記取付部ケース１２の内部には、第１の支軸１４Ｘが第１の仮想軸Ｘに沿って延在し、第１の支軸１４Ｘの上下両端は取付部ケース１２の上下部からそれぞれ突出して上下の支持部１３内に挿通され、支持部１３内のフランジ１４０２に回転可能に支持されている。
前記取付部ケース１２と第１の支軸１４Ｘとは、第１の仮想軸Ｘの回りに一体的に揺動するように結合されている。
したがって、パネル部材２０およびディスプレイ装置３０は、第１の支軸１４Ｘ回りに揺動され、図３に示すように、右側面１０２Ｆ上に閉じられた収容位置から右側面１０２Ｆから右側に突設され開いた開放位置にわたって揺動可能となっている。
【００１２】
第２の支軸１４Ｙは第２の仮想軸Ｙに沿って延在し、取付部ケース１２とパネル部材２０とにわたって設けられている。
パネル部材２０は、上述したように、厚さと、前記厚さよりも大きな寸法の幅と、前記幅よりも大きな寸法で第２の仮想軸Ｙに沿った長さを有する扁平な板状に形成され、パネル部材２０は、その長さ方向の端部（側面２００４）を取り付け部ケース１２の幅方向の端部に臨ませて配置されている。
第２の支軸１４Ｙは本実施例では、すり割りが形成された頭部１４Ｙ−１と、頭部１４Ｙ−１から延在する軸部と、軸部の先端に設けられた雄ねじとを有し、頭部１４Ｙ−１がパネル部材２０と反対側に位置する取付部ケース１２の側面に配置され、軸部が第１の支軸１４Ｘの長さ方向の中央に設けられた細幅部１４Ｘ−１の軸受け孔内に回転可能に挿通され、雄ねじがパネル部材２０に配置されたフランジ２０１０のねじ孔に螺合されている。
これにより、パネル部材２０は取付部ケース１２を介して第２の支軸１４Ｙの回りに（第２の仮想軸Ｙの回りに）揺動可能に結合されている。
したがって、パネル部材２０およびディスプレイ装置３０は、図２乃至図５に示すように、収容位置と開放位置との間で第１の支軸１４Ｘ（第１の仮想軸Ｘ）回りに揺動でき、また、開放位置で第２の支軸１４Ｙ（第２の仮想軸Ｙ）回りに揺動することができるようになっている。
【００１３】
図５に示すように、フレキシブル基板４０は、取付部１０を通りケース本体１０２とパネル部材２０とにわたって設けられ、電気信号をケース本体１０２とディスプレイ装置３０との間で伝達することで、ディスプレイ装置３０によって画像表示が行われるように構成されている。
フレキシブル基板４０は厚さと幅と長さを有し、長さ方向の一端がケース本体１０２の内部の電気回路に電気的に接続され、長さ方向の他端がディスプレイ装置１０の液晶表示器３２に電気的に接続され、長さ方向の中間部で取付部１０を通る箇所は取付部ケース１２に収容されている。
なお、フレキシブル基板４０は、本実施例では、図６に示すように、同一の幅を有する２枚のフレキシブル基板が幅方向の位置を合致させた状態で重ね合わされて構成されている。
フレキシブル基板４０は、取付部１０において、第２の仮想軸１４Ｙの回りに長円状に巻回されかつ第１の仮想軸１４Ｘに沿って扁平に延在して配置され、巻回部分の余裕量が大きく確保されている。
フレキシブル基板４０は、取付部ケース１２に収容されていることから、図７（Ａ）に示すように、取付部ケース１２の互いに対向する壁面に沿って直線状に延在する一対の直線部と、それら直線部を接続する一対の半円部とを有している。
実施例１において、フレキシブル基板４０が巻回されている長円の中心を通り長円と交差する想像線のうち最も寸法の大きい想像線を長径ａとし、最も寸法の小さい想像線を短径ｂとすると、フレキシブル基板４０は取付部ケース１２内において長円の短径ｂを取付部ケース１２の厚さ方向に沿わせかつ長円の長径ａを取付部ケース１２の長さ方向に沿わせて配置されている。
【００１４】
より詳細には、取付部１０においてフレキシブル基板４０は取付部ケース１２に収容され、長円状に巻回されたフレキシブル基板４０のうち外側の端部に位置するフレキシブル基板部分４００２がケース本体１０２側に引き出されている。
ケース本体１０２側に引き出されるフレキシブル基板部分４００２は、ケース本体１０２と取付部ケース１２との境の箇所において、第１の仮想軸１４Ｘの延在方向と平行する方向にフレキシブル基板４０の幅方向を向けるとともに第１の仮想軸１４Ｘの延在方向と直交する方向に長さ方向を向けて配置されている。
また、長円状に巻回されたフレキシブル基板４０のうち内側の端部に位置するフレキシブル基板部分４００４がパネル部材２０側に引き出されている。本実施例では、長円状に巻回されたフレキシブル基板４０のうち内側の端部に位置するフレキシブル基板部分４００４は、第２の仮想軸１４Ｙに沿ってパネル部材２０側に引き出されている。
パネル部材２０側に引き出されるフレキシブル基板部分４００４は、取付部ケース１２とパネル部材２０との境の箇所において、その厚さ方向がパネル部材２０の厚さ方向に合わされ第２の仮想軸Ｙ上で該第２の仮想軸Ｙに沿って延在している。
【００１５】
なお、本実施例では、本体ケース１０２の支持部１３部分の外観性を高め、ビデオカメラ１００の美観を向上させるため、パネル部材２０の側面２００４のうち、支持部１３に臨む側面２００４に円筒面２００４Ａが形成されている。
図８（Ａ）、（Ｂ）は、第１の仮想軸１４Ｘ方向（第１の支軸１４Ｘの延在方向）から支持部１３を見た状態を示している。
円筒面２００４Ａは、第１の仮想軸１４Ｘ方向（第１の支軸１４Ｘの延在方向）から見て、第１の支軸１４Ｘを中心とする円弧状に形成されている。
したがって、図８（Ｂ）に示すように、パネル部材２０およびディスプレイ装置３０を収容位置から開放位置に揺動させた場合に、側面２００４の円筒面２００４Ａと支持部１３の角部１３０２とが干渉せず、かつ、パネル部材２０およびディスプレイ装置３０が収容位置に位置した状態で側面２００４と支持部１３の角部１３０２との隙間Ｓを最小限にすることができ、本体ケース１０２の支持部１３部分の外観性を高め、ビデオカメラ１００の美観を向上させる上で有利となる。
【００１６】
これに対して、図９に示すように、パネル部材２０の側面２００４のうち、支持部１３に臨む側面２００４が平坦な平面２００４Ｂとして形成されている比較例について説明する。
比較例の場合、パネル部材２０およびディスプレイ装置３０を収容位置から開放位置に揺動させた際に側面２００４の平坦面２００４Ｂと支持部１３の角部１３０２との干渉を防止するために、支持部１３の角部１３０２を図示するように削り落とした形状とする必要がある。
このため、パネル部材２０およびディスプレイ装置３０が収容位置に位置した状態で側面２００４と支持部１３の角部１３０２との隙間Ｓが広がってしまい、また、角部１３０２の削り落とした形状が外方に露出してしまうことから、ビデオカメラ１００の美観を向上させる上で不利となる。
これに対して図８に示す実施例１のように側面２００４に円筒面２００４Ａを形成すると、隙間Ｓを最小限にして美観を向上できるため、この点で比較例に比べて有利となる。
【００１７】
次に作用について説明する。
パネル部材２０およびディスプレイ装置３０が図２に示す収容位置から図３に示す開放位置に揺動される場合には、取付部１０とケース本体１０２の境の箇所においてフレキシブル基板４０は、第１の仮想軸Ｘの延在方向と平行する方向にフレキシブル基板４０の幅方向を向けているので、フレキシブル基板４０は第１の仮想軸Ｘ回りの揺動に伴って厚さ方向に容易に撓むことができ、フレキシブル基板４０に無理な力がかかることはない。
さらに、図５に示すように、開放位置においてパネル部材２０およびディスプレイ装置３０が第２の支軸１４Ｙ（第２の仮想軸Ｙ）回りに揺動される場合には、フレキシブル基板４０が、取付部ケース１２内において、第２の仮想軸Ｙの回りに巻回部分の余裕量が大きく確保された扁平な長円状に巻回して配置されているので、パネル部材２０およびディスプレイ装置３０の第２の仮想軸Ｙ回りの揺動に伴って、フレキシブル基板４０の巻回部分が縮むか、あるいは、広がることができ、フレキシブル基板４０に無理な力がかかることはない。
【００１８】
ここで、図７（Ａ）に示すように、フレキシブル基板４０が実施例１のように長円状に巻回されている場合と、図７（Ｂ）に示すように、正円状に巻回されている場合とを比較して説明する。
図７（Ａ）、（Ｂ）において、巻回されているフレキシブル基板４０の長さ方向の寸法は同一であり、図７（Ｂ）に示すように、フレキシブル基板４０が巻回されている正円の直径をｃ＝ｄとする。
図７から明らかなように、実施例１では、フレキシブル基板４０が巻回されている長円の長径ａは正円の直径ｃ、ｄよりも大きな寸法となるが、短径ｂは正円の直径ｃ、ｄよりも小さな寸法とすることができる。
このため、取付部１０において、フレキシブル基板４０の巻回されている部分の短径ｂの向きが、パネル部材２０およびディスプレイ装置３０の厚さ方向と合致するように配設することが可能となり、フレキシブル基板４０の巻回されている部分が前記厚さ方向に占有するスペースを削減する上で有利となる。
したがって、ケース本体１０２とパネル部材２０との間にわたって設けられるフレキシブル基板４０に無理な力を与えることなく、ビデオカメラ１００の小型化を図る上で有利となる。
【００１９】
なお、実施例では、電子機器がビデオカメラである場合について説明したが、本発明の電子機器はこれに限定されるものではなく、種々の電子機器、例えばカメラ付パーソナルデジタルアスタント（ＰＤＡ）、カメラ付携帯電話機、あるいは種々の撮像装置、例えばデジタルスチルカメラなどであってもよいことはもちろんである。
【図面の簡単な説明】
【００２０】
【図１】実施例１のビデオカメラ１００を前方から見た斜視図である。
【図２】ディスプレイ装置が収容位置にある状態のビデオカメラ１００を前方から見た斜視図である。
【図３】ディスプレイ装置が開放位置にある状態のビデオカメラ１００を後方から見た斜視図である。
【図４】ディスプレイ装置が開放位置で第２の仮想軸Ｙ回りに揺動された状態のビデオカメラ１００を後方から見た斜視図である。
【図５】取付部の構成を示す斜視図である。
【図６】フレキシブル基板の斜視図である。
【図７】（Ａ）は実施例１におけるフレキシブル基板の巻回状態の説明図、（Ｂ）は比較例におけるフレキシブル基板の巻回状態の説明図である。
【図８】（Ａ）、（Ｂ）は実施例１におけるディスプレイ装置を開閉した場合のケース本体との関係を示す説明図である。
【図９】比較例におけるディスプレイ装置を開閉した場合のケース本体との関係を示す説明図である。
【図１０】（Ａ）は実施例１におけるディスプレイ装置におけるバックライト用ＬＥＤの配置の説明図、（Ｂ）は比較例におけるディスプレイ装置におけるバックライト用ＬＥＤの配置の説明図である。
【符号の説明】
【００２１】
１０……取付部、２０……パネル部材、３０……ディスプレイ装置、４０……フレキシブル基板、１００……ビデオカメラ、１０２……ケース本体、Ｘ……第１の仮想軸、Ｙ……第２の仮想軸。
【図１】
2006186503.tif 000003
【図２】
2006186503.tif 000004
【図３】
2006186503.tif 000005
【図４】
2006186503.tif 000006
【図５】
2006186503.tif 000007
【図６】
2006186503.tif 000008
【図７】
2006186503.tif 000009
【図８】
2006186503.tif 000010
【図９】
2006186503.tif 000011
【図１０】
2006186503.tif 000012